(57)【要約】  ２つの組込タイプの符号化−復号機器（５０４、５０５）の間で処理されるトランスコーディングの方法、機器、装置、およびシステムが提供される。方法は、第１の符号化−復号機器（５０４）により入力信号を符号化することから得られる入力コードストリームの少なくとも１つの拡張レイヤのコードストリームを第１の符号化コードストリームが含む整数フレームの間、入力コードストリームの第１の符号化コードストリームを遅延させ、トランスコーディングの複雑さを低減しトランスコーディング信号の品質を改善するために、調節された信号を得るために、第１の符号化−復号機器（５０４）により入力コードストリームの別の符号化コードストリームを復号することから得られる第１の復号信号に対して遅延整列調節を行う。
2013501246.tif 000002
【特許請求の範囲】
【請求項１】
２つの組込コーデック間をトランスコードするためのトランスコーディング方法であって、
入力ストリーム中の第１の符号化ストリームを整数のフレームの間遅延させ、該第１の符号化ストリームは、入力信号が第１のコーデックを使用することにより符号化された後に得られる前記入力ストリーム中の少なくとも１つの拡張レイヤのストリームを含み、
調節された信号を得るために、第１の復号信号に対して遅延整列および調節を行い、該第１の復号信号は、前記入力ストリーム中の別の符号化ストリームを前記第１のコーデックが復号することにより得られ、該別の符号化ストリームは、前記入力信号が前記第１のコーデックを使用することにより符号化された後に得られる前記入力ストリーム中の別のレイヤのストリームを含み、該別のレイヤのストリームは、コアレイヤのストリームを含み且つ前記第１の符号化ストリームを除く、
トランスコーディング方法。
【請求項２】
前記少なくとも１つの拡張レイヤで符号化するために前記第１のコーデックにより使用される方法および帯域幅が、前記少なくとも１つの拡張レイヤで符号化するために第２のコーデックにより使用されるものと同一である、
請求項１に記載の方法。
【請求項３】
前記調節された信号を第２のコーデックが符号化することにより得られる第２の符号化ストリームの遅延と前記整数のフレームの間遅延させられた前記第１の符号化ストリームの遅延との間の関係が、前記少なくとも１つの拡張レイヤを前記第２のコーデックが符号化する符号化遅延と別のレイヤで符号化する符号化遅延との間の関係に対応する、
請求項１に記載の方法。
【請求項４】
前記第１の符号化ストリームを遅延させる前記整数のフレームが、前記第１のコーデックおよび前記第２のコーデックの符号化ストリームおよび復号ストリームの遅延を組み合わせて、信号フレームの長さに従って、決定される、
請求項１、２、または３に記載の方法。
【請求項５】
前記復号信号に対して遅延整列および調節を行うための調節遅延が、前記第１のコーデックおよび前記第２のコーデックの符号化ストリームおよび復号ストリームの前記遅延と、前記第１の符号化ストリームを遅延させるための前記整数のフレームとを組み合わせて、前記信号フレームの長さに従って、決定される、
請求項４に記載の方法。
【請求項６】
前記第１の符号化ストリームを遅延させるための前記整数のフレームの値が、前記第１のコーデックおよび前記第２のコーデックの符号化ストリームおよび復号ストリームの遅延の間の差の総和に対する前記フレームの長さの比関数により決定される値を含む、
請求項４に記載の方法。
【請求項７】
前記調節遅延が、前記フレームの長さに関連する前記整数のフレームと、前記第１のコーデックおよび前記第２のコーデックの符号化ストリームおよび復号ストリームの遅延間の差の総和との間の計算関係を含む、
請求項６に記載の方法。
【請求項８】
前記第１の符号化ストリームを遅延させるための前記整数のフレームおよび／または前記調節遅延が、前記第１のコーデックおよび前記第２のコーデックに従って予め設定され、前記整数のフレームおよび前記調節遅延が以下の関係を満たす、すなわち、
前記調節遅延が、前記第１のコーデックおよび前記第２のコーデックの符号化ストリームおよび復号ストリームの遅延を組み合わせて、信号フレームの長さに従って、前記整数のフレームと関連する、
請求項１、２、または３に記載の方法。
【請求項９】
トランスコーディング方法であって、
入力ストリーム中の第１の符号化ストリームを整数のフレームの間遅延させ、該第１の符号化ストリームは、入力信号が第１のコーデックを使用することにより符号化された後に得られる前記入力ストリーム中の少なくとも１つの拡張レイヤのストリームを含み、
第１の復号信号を得るために、前記第１のコーデックを使用して、前記入力ストリーム中の別の符号化ストリームを復号し、該別の符号化ストリームは、前記入力信号が前記第１のコーデックを使用することにより符号化された後の前記入力ストリーム中の別のレイヤのストリームを含み、該別のレイヤのストリームは、コアレイヤのストリームを含み且つ前記第１の符号化ストリームを除き、
調節された信号を得るために、前記第１の復号信号に対して遅延整列および調節を行い、
第２の符号化ストリームを得るために、第２のコーデックを使用して、前記調節された信号を符号化し、
前記第２の符号化ストリーム、および前記整数のフレームの間遅延させられた前記第１の符号化ストリームを多重化し、出力する、
トランスコーディング方法。
【請求項１０】
前記少なくとも１つの拡張レイヤで符号化するために前記第１のコーデックを使用するための方法および帯域幅が、前記少なくとも１つの拡張レイヤで符号化するために前記第２のコーデックを使用するためのものと一致し、
前記第２の符号化ストリームの遅延と前記整数のフレームの間遅延させられた前記第１の符号化ストリームの遅延との間の関係が、前記第２のコーデックにより前記少なくとも１つの拡張レイヤを符号化する符号化遅延と別のレイヤで符号化する符号化遅延との間の関係に対応する、
請求項９に記載の方法。
【請求項１１】
前記第１の符号化ストリームを遅延させる前記整数のフレームが、信号フレームの長さと、前記第１のコーデックおよび前記第２のコーデックの符号化ストリームおよび復号ストリームの遅延とに従って決定され、
前記復号信号に対する遅延整列および調節のための調節遅延が、前記第１のコーデックおよび前記第２のコーデックの符号化ストリームおよび復号ストリームの遅延と、前記第１の符号化ストリームを遅延させる前記整数のフレームとを組み合わせて、前記信号フレームの長さに従って、決定される、
請求項９または１０に記載の方法。
【請求項１２】
前記第１の符号化ストリームを遅延させる前記整数のフレームおよび／または前記調節遅延が、前記第１のコーデックおよび前記第２のコーデックに従って予め設定され、前記整数のフレームおよび前記調節遅延が以下の関係を満たす、すなわち
前記調節遅延が、前記整数のフレームによる信号フレームの長さと、前記第１のコーデックおよび前記第２のコーデックの符号化ストリームおよび復号ストリームの遅延とに関連する、
請求項９または１０に記載の方法。
【請求項１３】
２つの組込コーデック間をトランスコードするためのトランスコーディング装置であって、
入力ストリーム中の第１の符号化ストリームを整数のフレームの間遅延させるように構成される整数フレーム遅延モジュールであって、該第１の符号化ストリームは、入力信号が第１のコーデックを使用することにより符号化された後に得られる前記入力ストリーム中の少なくとも１つの拡張レイヤのストリームを含む、整数フレーム遅延モジュールと、
調節された信号を得るために第１の復号信号に対して遅延整列および調節を行うように構成される遅延整列モジュールであって、該第１の復号信号は、前記入力ストリーム中の別の符号化ストリームを前記第１のコーデックが復号することにより得られ、該別の符号化ストリームは、前記入力信号が前記第１のコーデックを使用することにより符号化された後の入力ストリーム中の別のレイヤのストリームを含み、該別のレイヤのストリームが、コアレイヤのストリームを含み且つ前記第１の符号化ストリームを除く、遅延整列モジュールと、
を含むトランスコーディング装置。
【請求項１４】
前記第１のコーデックおよび第２のコーデックの符号化ストリームおよび復号ストリームの遅延を組み合わせて、信号フレームの長さに従って、前記第１の符号化ストリームを遅延させる前記整数のフレームを決定するように構成される第１の遅延モジュールと、
前記第１のコーデックおよび前記第２のコーデックの符号化ストリームおよび復号ストリームの遅延と、前記第１の符号化ストリームを遅延させるための前記整数のフレームとを組み合わせて、前記信号フレームの前記長さに従って、前記復号信号に対して遅延整列および調節を行うための調節遅延を決定するように構成される第２の遅延モジュールと、
をさらに含む請求項１３に記載の装置。
【請求項１５】
前記第１の符号化ストリームを遅延させるための前記整数のフレームを構成し、および／または、前記第１のコーデックおよび前記第２のコーデックに従って調節遅延を構成するように構成されるパラメータ構成モジュールをさらに含み、
前記整数のフレームおよび前記調節遅延が以下の関係を満たす、すなわち、
前記調節遅延が、前記整数のフレームによる信号フレームの長さと、前記第１のコーデックおよび前記第２のコーデックの符号化ストリームおよび復号ストリームの遅延とに関連する、
請求項１３に記載の装置。
【請求項１６】
前記少なくとも１つの拡張レイヤで符号化するために前記第１のコーデックにより使用される方法および帯域幅が、前記少なくとも１つの拡張レイヤで符号化するために前記第２のコーデックにより使用されるものと一致し、
前記第２のコーデックにより前記調節された信号を符号化することにより得られる前記第２の符号化ストリームの遅延と前記整数のフレームの間遅延させられた前記第１の符号化ストリームの遅延との間の関係が、前記少なくとも１つの拡張レイヤで前記第２のコーデックが符号化する符号化遅延と別のレイヤで符号化する符号化遅延との間の関係に対応する、
請求項１３、１４、または１５に記載の装置。
【請求項１７】
トランスコーディング機器であって、
入力ストリーム中の第１の符号化ストリームおよび第１の復号信号を受信するように構成される受信モジュールであって、該第１の符号化ストリームは、入力信号が前記第１のコーデックを使用することにより符号化された後に得られる前記入力ストリーム中の少なくとも１つの拡張レイヤのストリームを含み、該第１の復号信号は、前記第１の符号化ストリームを除く前記入力ストリーム中の別の符号化ストリームを前記第１のコーデックが復号することにより得られる、受信モジュールと、
前記第１の符号化ストリームを整数のフレームの間遅延させるように構成される整数フレーム遅延モジュールと、
調節された信号を得るために前記第１の復号信号に対して遅延整列および調節を行うように構成される遅延整列モジュールであって、該別の符号化ストリームは、前記入力信号が前記第１のコーデックを使用することにより符号化された後の前記入力ストリーム中の別のレイヤのストリームを含み、該別のレイヤのストリームは、コアレイヤのストリームを含み且つ前記第１の符号化ストリームを除く、遅延整列モジュールと、
前記調節された信号、および前記整数のフレームの間遅延させられた前記第１の符号化ストリームを第２のコーデックに出力するように構成される出力装置と、
を含むトランスコーディング機器。
【請求項１８】
前記少なくとも１つの拡張レイヤで前記第１のコーデックが符号化するための方法および帯域幅が、前記少なくとも１つの拡張レイヤで前記第２のコーデックが符号化するためのものと一致し、
前記調節された信号を前記第２のコーデックが符号化することにより得られる前記第２の符号化ストリームの遅延と前記整数のフレームの間遅延させられた前記第１の符号化ストリームの遅延との間の関係が、前記少なくとも１つの拡張レイヤを前記第２のコーデックが符号化する符号化遅延と別のレイヤで符号化する符号化遅延との間の関係に対応する、
請求項１７に記載の装置。
【請求項１９】
トランスコーディングシステムであって、
第１の復号信号を得るために別の符号化ストリームを復号するように構成される第１のコーデックであって、該別の符号化ストリームは、入力信号が前記第１のコーデックを使用することにより符号化された後に得られる入力ストリーム中の別のレイヤのストリームを含み、該別のレイヤのストリームは、コアレイヤのストリームを含み且つ第１の符号化ストリームを除く、第１のコーデックと、
前記第１の符号化ストリームを整数のフレームの間遅延させ、調節された信号を得るために前記第１の復号信号の遅延整列および調節を行うように構成されるトランスコーディング装置と、
第２の符号化ストリームを得るために前記調節された信号を符号化し、前記第２の符号化ストリーム、および前記整数のフレームの間遅延させられた前記第１の符号化ストリームを多重化するように構成される第２のコーデックと、
を含むトランスコーディングシステム。
【請求項２０】
前記少なくとも１つの拡張レイヤで符号化するために前記第１のコーデックにより使用される方法および帯域幅が、前記少なくとも１つの拡張レイヤで符号化するために前記第２のコーデックにより使用されるものと同一であり、
前記第２の符号化ストリームの遅延と前記整数のフレームの間遅延させられた前記第１の符号化ストリームとの間の関係が、前記少なくとも１つの拡張レイヤで前記第２のコーデックが符号化する符号化遅延と別のレイヤで符号化する符号化遅延との間の関係に対応する、
請求項１９に記載のシステム。
【請求項２１】
請求項１３に記載の装置を含む移動局。
【請求項２２】
請求項１３に記載の装置を含むネットワーク要素。
【発明の詳細な説明】
【技術分野】
【０００１】
本発明は、信号ストリームをトランスコードする技術に関し、より詳細にはトランスコーディングの方法、装置、機器、およびシステムに関する。
【背景技術】
【０００２】
ネットワーク帯域幅の増大と共に、ネットワーク伝送速度がますます高くなり、通信での音声品質に対する人々の要件がますます高くなっている。音声品質に対する人々の要件を満たすためにますます多くの組込音声コーデックが開発される。組込音声コーデックは、コアレイヤおよびいくつかの拡張レイヤにより形成されたコーデックである。コアレイヤは、一般に従来の狭帯域または広帯域のコーデックであり、拡張レイヤは、広帯域、超広帯域、または全帯域拡張でさえであってもよい、またはステレオ多重チャネル拡張であってもよい。組込音声コーデックは従来のコーデックと互換性があり、必要に応じてより多くの拡張機能を提供する。
【０００３】
異なる組込コーデック間の通信を可能にするために、トランスコーディングが、すなわち復号および次に符号化が必要とされる。従来のトランスコーディング方法は、一般に第１の符号器を通過する符号化ストリームを復号し、次に、トランスコーディングの準備ができている第２の符号器を使用することによりストリームを符号化する。図１に示されるように、トランスコーディング時、第１の符号器により符号化されたコアレイヤのストリーム、およびすべての受信した拡張レイヤのストリームが復号され、次に、トランスコーディングの準備ができている第２の符号器により再び符号化される。トランスコーディング前に拡張レイヤの一部でもすべてでも使用される符号化および復号の方法ならびに帯域幅は、トランスコーディング後のものと一致する。
【発明の概要】
【発明が解決しようとする課題】
【０００４】
トランスコーディング前に拡張レイヤの一部でもすべてでもに対する符号化方法および符号化帯域幅がトランスコーディング後のものと一致する場合、従来技術のトランスコーディング方法の使用は、符号化および復号の複雑さを明らかに増大させ、信号品質を損なう。
【課題を解決するための手段】
【０００５】
本発明の一実施形態は、トランスコーディング工程での符号化および復号の複雑さを低減させ信号品質を高めるトランスコーディングの方法、装置、機器、およびシステムを提供する。
【０００６】
前述の目的を達成するために、本発明の一実施形態は、
入力ストリーム中の第１の符号化ストリームを整数のフレームの間遅延させ、第１の符号化ストリームは、第１のコーデックを使用することにより入力信号が符号化された後に得られる入力ストリーム中の少なくとも１つの拡張レイヤのストリームを含み、
調節された信号を得るために、第１の復号信号に対して遅延整列および調節を行い、第１の復号信号は、入力ストリーム中の別の符号化ストリームを第１のコーデックが復号することにより得られ、別の符号化ストリームは、第１のコーデックを使用することにより入力信号が符号化された後に得られる入力ストリーム中の別のレイヤのストリームを含み、別のレイヤのストリームは、コアレイヤのストリームを含み且つ第１の符号化ストリームを除く、
符号化方法を提供する。
【０００７】
本発明の別の実施形態は、
入力ストリーム中の第１の符号化ストリームを整数のフレームの間遅延させ、第１の符号化ストリームは、第１のコーデックを使用することにより入力信号が符号化された後に得られる入力ストリーム中の少なくとも１つの拡張レイヤのストリームを含み、
第１の復号信号を得るために、第１のコーデックを使用して、入力ストリーム中の別の符号化ストリームを復号し、別の符号化ストリームは、第１のコーデックを使用することにより入力信号が符号化された後に得られる入力ストリーム中の別のレイヤのストリームを含み、別のレイヤのストリームは、コアレイヤのストリームを含み且つ第１の符号化ストリームを除き、
調節された信号を得るために、第１の復号信号に対して遅延整列および調節を行い、
第２の符号化ストリームを得るために、第２のコーデックを使用して、調節された信号を符号化し、
第２の符号化ストリームおよび整数のフレームの間遅延させられた第１の符号化ストリームを多重化して出力する、
トランスコーディング方法を提供する。
【０００８】
本発明の別の実施形態は、
入力ストリーム中の第１の符号化ストリームを整数フレームの間遅延させるように構成される整数フレーム遅延モジュールであって、第１の符号化ストリームは、第１のコーデックを使用することにより入力信号が符号化された後に得られる入力ストリーム中の少なくとも１つの拡張レイヤのストリームを含み、整数フレーム遅延モジュールと、
調節された信号を得るために、第１の復号信号に対して遅延整列および調節を行うように構成される遅延整列モジュールであって、第１の復号信号は、入力ストリーム中の別の符号化ストリームを第１のコーデックが復号することにより得られ、別の符号化ストリームは、第１のコーデックを使用することにより入力信号が符号化された後の入力ストリーム中の別のレイヤのストリームを含み、別のレイヤのストリームは、コアレイヤのストリームを含み且つ第１の符号化ストリームを除く、遅延整列モジュールと、
を含むトランスコーディング装置を提供する。
【０００９】
本発明の別の実施形態が、
入力ストリーム中の第１の符号化ストリームおよび第１の復号信号を受信するように構成される受信モジュールであって、第１の符号化ストリームは、第１のコーデックを使用することにより入力信号が符号化された後に得られる入力ストリーム中の少なくとも１つの拡張レイヤのストリームを含み、第１の復号信号は、第１の符号化ストリームを除く入力ストリーム中の別の符号化ストリームを第１のコーデックが復号することにより得られ、受信モジュールと、
第１の符号化ストリームを整数フレームの間遅延させるように構成される整数フレーム遅延モジュールと、
調節された信号を得るために、第１の復号信号に対して整列および調節を行うように構成される遅延整列モジュールであって、別の符号化ストリームは、第１のコーデックを使用することにより入力信号が符号化された後の入力ストリーム中の別のレイヤのストリームを含み、別のレイヤのストリームは、コアレイヤのストリームを含み且つ第１の符号化ストリームを除く、遅延整列モジュールと、
調節された信号および整数のフレームの間遅延させられた第１の符号化ストリームを第２のコーデックに出力するように構成される出力装置と、
を含むトランスコーディング機器を提供する。
【００１０】
本発明の別の実施形態が、
第１の復号信号を得るために、別の符号化ストリームを復号するように構成される第１のコーデックであって、別の符号化ストリームは、第１のコーデックを使用することにより入力信号が復号された後に得られる入力ストリーム中の別のレイヤのストリームを含み、別のレイヤのストリームは、コアレイヤのストリームを含み、第１の符号化ストリームを除く、第１のコーデックと、
第１の符号化ストリームを整数のフレームの間遅延させ、かつ調節された信号を得るために第１の復号信号に対して遅延整列および調節を行うように構成されるトランスコーディング装置と、
第２の符号化ストリームを得るために、調節された信号を符号化し、第２の符号化ストリーム、および整数のフレームの間遅延させられた第１の符号化ストリームを多重化するように構成される第２のコーデックと、
を含むトランスコーディングシステムを提供する。
【００１１】
本発明の別の実施形態が、前述のトランスコーディング装置の移動局を提供する。
【００１２】
本発明の別の実施形態が、前述のトランスコーディング装置のネットワーク要素を提供する。
【００１３】
したがって、本発明の一実施形態で提供されるトランスコーディングの方法、装置、機器、およびシステムの導入により、ストリームの一部だけが再び符号化され、復号される必要があり、組込コーデックのトランスコーディングの複雑さが大きく低減され、同じ方法で、ストリームの一部が復号されるまたは符号化されるので、トランスコードされる信号の品質は効果的に高められる。
【００１４】
本発明または従来技術の技術的解決策をより明白にするために、本発明または従来技術の実施形態の説明のために使用される添付図面が以下で簡潔に導入される。明らかに、以下で説明される添付図面は、本発明の実施形態の一部でしかなく、当業者はどんな創造的努力もなしにこれらの図面から別の図面を得ることができる。
【図面の簡単な説明】
【００１５】
【図１】従来技術でのトランスコーディングの概略図である。
【図２】本発明によるトランスコーディング方法の実施形態の概略図である。
【図３】本発明による別のトランスコーディング方法の実施形態の概略図である。
【図４】本発明による別のトランスコーディング方法の実施形態の概略図である。
【図５】本発明による別のトランスコーディング方法の実施形態の概略図である。
【図６】本発明による別のトランスコーディング方法の実施形態の概略図である。
【図７】本発明によるトランスコーディング装置の実施形態の概略図である。
【図８】本発明による別のトランスコーディング装置の実施形態の概略図である。
【図９】本発明によるトランスコーディング装置の実施形態の概略図である。
【図１０】本発明によるトランスコーディング機器の実施形態の概略図である。
【図１１】本発明によるトランスコーディングシステムの実施形態の概略図である。
【発明を実施するための形態】
【００１６】
本発明の実施形態での技術的解決策が、本発明の添付図面を参照して以下で明白かつ完全に説明される。明らかに、説明される実施形態は、本発明の実施形態のすべてではなく一部でしかない。どんな創造的努力もなしに本発明の実施形態に基づき当業者により得られるすべての別の実施形態が本発明の保護範囲に入るものとする。
【００１７】
＜実施形態１＞
本発明の一実施形態は、２つの組込コーデック間をトランスコーディングする方法を提供する。図２に示されるように、方法は以下のステップを含む。
【００１８】
Ｓ１０１：入力ストリーム中の第１の符号化ストリームを整数のフレームの間遅延させる。入力ストリームは、第１のコーデックを使用することにより入力信号が符号化された後に得られる入力ストリーム中の少なくとも１つの拡張レイヤのストリームを含む。
【００１９】
少なくとも１つの拡張レイヤに対して第１のコーデックにより使用される符号化方法および帯域幅は、少なくとも１つの拡張レイヤに対して第２のコーデックにより使用されるものと同一である。
【００２０】
Ｓ１０２：調節された信号を得るために、第１の復号信号に対して遅延整列および調節を行う。第１の復号信号は、入力ストリーム中の別の符号化ストリームを第１のコーデックが復号することにより得られる。別の符号化ストリームは、入力信号が第１のコーデックを使用することにより符号化された後の入力ストリーム中の別のレイヤのストリームを含む。別のレイヤのストリームは、コアレイヤのストリームを含み、第１の符号化ストリームを除く。
【００２１】
調節された信号を第２のコーデックが符号化することにより得られる第２の符号化ストリームの遅延と、整数のフレームの間遅延させられた第１の符号化ストリームの遅延との間の関係は、少なくとも１つの拡張レイヤを第２のコーデックが符号化する符号化遅延と、別のレイヤで符号化する符号化遅延との間の関係に対応する。
【００２２】
第１のコーデックおよび第２のコーデックは、物理的に一体化されたコーデック全体でも、物理的に分離された実体でもよい、すなわち第１のコーデックは、それぞれストリームを符号化するためおよびストリームを復号するために使用される第１の符号器および第１の復号器を含む。
【００２３】
本発明の実施形態によるトランスコーディング方法では、ストリームの一部だけが再び符号化され復号される。もはや復号されることも符号化されることもないストリームは遅延整列および調節を受け、再び復号され符号化されるストリームの一部は、整数のフレームの間遅延させられる。この方法では、組込コーデックのトランスコーディングの複雑さが大きく低減されることができ、トランスコーディングされる信号の品質は、ストリームの一部が再び符号化されることも復号されることもないので、効果的に高められる。
【００２４】
＜実施形態２＞
本発明の別の実施形態が、２つの組込コーデック間をトランスコードする方法を提供する。図３に示されるように、方法は以下を含む。
【００２５】
Ｓ２０１：整数のフレームの遅延に関する情報を予め設定する。
【００２６】
整数のフレームの遅延に関する情報を予め設定することは、整数のフレームの遅延の数または整数のフレームの遅延の長さを予め設定することを含み得る。整数のフレームの遅延に関する情報は、モジュールをロードする方法で、またはシステムを予め設定する方法で設定される。整数のフレームの遅延の数または整数のフレームの遅延の長さは、第１のコーデックおよび第２のコーデックの符号化ストリームおよび復号ストリームの遅延を組み合わせて、信号フレームの長さに従って、決定され、信号フレームの長さに関する関数と、ならびに第１のコーデックおよび第２のコーデックの符号化ストリームおよび復号ストリームの遅延に関する関数とにより表され得る。
【００２７】
Ｓ２０２：整数のフレームの遅延に関する情報に従って、第１の符号化ストリームを整数の予め設定されたフレームの間遅延させる。
【００２８】
第１の符号化ストリームは、少なくとも１つの拡張レイヤを第１のコーデックが符号化することにより得られ、少なくとも１つの拡張レイヤで符号化するために第１のコーデックを使用するための方法および帯域幅は、第２のコーデックを使用するためのものと一致し、これらのことは、トランスコーディングのために、少なくとも１つの拡張レイヤで符号化するために必要とされる。トランスコーディング前に少なくとも１つ拡張レイヤでコーデックにより使用される符号化方法は、トランスコーディング後のものと同一であるので、再び符号化および復号することは不要な操作を引き起こし、トランスコーディングの複雑さを大幅に増大させる。この実施形態では、少なくとも１つの拡張レイヤに対して、第１のコーデックにより符号化される第１の符号化ストリームは、整数のフレームの遅延に関する予め設定された情報に従って整数の予め設定されたフレームの間遅延させられ、したがって、処理はストリームのビット情報に対して行われないが、全体としてのストリームは伝送フレームの長さの間遅延させられる。
【００２９】
Ｓ２０３：遅延整列および調節のために必要とされる調節遅延情報を予め設定する。
【００３０】
調節遅延情報を予め設定することは、調節遅延の時間または調節遅延の期間を設定することを含み得る。調節遅延情報は、モジュールをロードする方法、またはシステムを予め設定する方法で設定される。調節遅延の予め設定された期間は、第１のコーデックおよび第２のコーデックの符号化ストリームおよび復号ストリームの遅延と、第１の符号化ストリームを遅延させる整数のフレームとを組み合わせて、信号フレームの長さに従って、決定される。
【００３１】
このステップは、ステップＳ２０１の直後に行われてもよいことが留意されるべきである。
【００３２】
Ｓ２０４：調節された信号を得るために、第１の復号信号に対して遅延整列および調節を行う。
【００３３】
第１の復号信号は、コアレイヤの符号化ストリームを含み且つ第１の符号化ストリームを除く別の符号化ストリームを第１のコーデックが復号することにより得られる。別の符号化ストリームは、少なくとも１つの拡張レイヤを除く別のレイヤで符号化するために第１のコーデックを使用することにより得られる。調節された信号を第２のコーデックが符号化することにより得られる第２の符号化ストリームの遅延と、整数のフレームの間遅延させられた第１の符号化ストリームの遅延との間の関係は、少なくとも１つの拡張レイヤを第２のコーデックが符号化する符号化遅延と、別のレイヤで符号化する符号化遅延との間の関係に対応する。符号化および復号は、少なくとも１つの拡張レイヤで繰り返されないが、第１のコーデックにより符号化された第１の符号化ストリームは直接多重化される。したがって、別の符号化ストリームの第１の時点が、少なくとも１つの拡張レイヤの第２の時点と整列させられる必要がある。Ｓ２０２とこのステップでの第１の時点および第２の時点の調節とにより、多重化されるストリームと２度目の復号に対する出力との間の遅延関係が、少なくとも１つの拡張レイヤでだけ第２のコーデックが符号化することにより得られるストリームと、少なくとも１つの拡張レイヤを除く別のレイヤで第２のコーデックが符号化することにより得られるストリームとの間の遅延関係に対応することが、保証される。
【００３４】
この実施形態でのトランスコーディング方法では、ストリームの一部だけが再び符号化され復号される。もはや復号されることも符号化されることもないストリームが、遅延整列および調節を受け、再び復号され符号化されるストリームの一部が整数のフレームの間遅延させられる。この方法では、組込コーデックのトランスコーディングの複雑さを大きく低減することができ、ストリームの一部がもはや符号化されることも復号されることもないので、トランスコーディングされる信号の品質を効果的に高められる。大部分の組込コーデック間のトランスコーディングに対し、この実施形態は、トランスコーディングで発生する追加遅延を低減し、たとえばトランスコーディング時に追加遅延がまったく発生しない。
【００３５】
＜実施形態３＞
本発明のより詳細な実施形態が、２つの組込コーデック間をトランスコードする方法を提供する。図４に示される。
【００３６】
この実施形態では、Ｇ．７２２超広帯域拡張コーデック（ｓｕｐｅｒ  ｗｉｄｅｂａｎｄ  ｅｘｔｅｎｓｉｏｎ  ｃｏｄｅｃ）が第１のコーデックとして使用され、Ｇ．７１１．１超広帯域コーデックが第２のコーデックとして使用され、もはや復号も符号化も必要としない少なくとも１つの拡張レイヤが、図４で超広帯域符号化レイヤであるＭｌａｙｅｒとして印をつけられ、Ｍｌａｙｅｒ上で第１のコーデックにより符号化されたストリームが直接多重化される。コアレイヤを含み且つＭｌａｙｅｒを除く別のレイヤがＮｌａｙｅｒと印をつけられ、Ｎｌａｙｅｒは、第１の符号器により符号化され、次に復号され、次に第２の符号器により符号化される必要がある。本発明の実施形態では、Ｎｌａｙｅｒが再び符号化される時点が、直接多重化されるＭｌａｙｅｒの時点と再び整列させられる必要があり、したがって、トランスコーディング工程では、Ｍｌａｙｅｒの遅延が整列される必要があり、Ｎｌａｙｅｒが整数のフレームの間遅延させられる必要がある。
【００３７】
第１の符号器は、遅延ｅ１１をＮｌａｙｅｒに適用し、遅延ｅ１２をＭｌａｙｅｒに適用する。第１の復号器は、遅延ｄ１１をＮｌａｙｅｒに適用し、遅延ｄ１２をＭｌａｙｅｒに適用する。第２の符号器は、遅延ｅ２１をＮｌａｙｅｒに適用し、遅延ｅ２２をＭｌａｙｅｒに適用する。第２の復号器は、遅延ｄ２１をＮｌａｙｅｒに適用し、遅延ｄ２２をＭｌａｙｅｒに適用する。信号フレームの長さは、Ｔ＿フレームである。Ｎｌａｙｅｒの遅延は、調節長Ｄで整列され調節される。調節長は、フレーム長に関連する整数のフレームと、第１のコーデックおよび第２のコーデックの符号化ストリームおよび復号ストリームの遅延間の差の総和との間の計算関係を含む。Ｍｌａｙｅｒのストリームは、Ｌフレームの間遅延させられ、ここで、Ｌは整数であり、値Ｌは、第１のコーデックおよび第２のコーデックの符号化ストリームおよび復号ストリームの遅延間の差の総和に対するフレーム長の比関数により決定される値を含む。実現形態では、ＬおよびＤは次式のように表現され得る。
【００３８】
L=ceil((e11+d11+e21+d21-e12-d22)/T_frame)
【００３９】
D=L*T_frame-(e11+d11+e21+d21-e12-d22)
【００４０】
上記のように、整数のフレームの遅延と、遅延整列および調節の長さとは、第１の符号器によりＮｌａｙｅｒおよびＭｌａｙｅｒに適用される遅延、第１の復号器によりＮｌａｙｅｒに適用される遅延、第２の符号器によりＮｌａｙｅｒに適用される遅延、および第２の復号器によりＮｌａｙｅｒおよびＭｌａｙｅｒに適用される遅延に関係がある。上記の遅延は、ゼロ値、すなわち遅延がまったく存在しなくても、または別の値でもよい。
【００４１】
まず、受信したＧ．７２２ＳＷＢ広帯域コアレイヤのストリーム、およびＮ１広帯域エンハンスメントレイヤのストリーム、すなわちＮｌａｙｅｒのストリームが、Ｎｌａｙｅｒの復号信号を得るために復号される。その後、ＬおよびＤの値に従って、Ｎｌａｙｅｒの復号信号の遅延が整列され、ＭｌａｙｅｒのストリームであるＧ．７２２ＳＷＢ超帯域ストリームの遅延が整数のフレームに対して調節される。たとえば、この実施形態では、
e11+d11=e12+d22=6.375ms
e21+d21=6.875ms
T_frame=5ms
L=ceil((e11+d11+e21+d21-e12-d22)/T_frame)=2 frames
D=L*T_frame-(e11+d11+e21+d21-e12-d22)=3.125ms
である。
すなわち、Ｎｌａｙｅｒの復号信号は、３．１２５ｍｓ間遅延させられ、Ｍｌａｙｅｒのストリームは２フレームの間遅延させられる。
【００４２】
この実現の方法はまた、別の組込コーデックに適用可能である。たとえば、第１のコーデックはＧ７１１．１超広帯域拡張コーデックであり、第２のコーデックはＧ．７２２超広帯域拡張コーデックである。
【００４３】
＜実施形態４＞
本発明の別の実施形態が、２つの組込コーデック間をトランスコードする方法を提供する。図５に示されるように、方法は以下のステップを含む。
【００４４】
Ｓ３０１：入力ストリーム中の第１の符号化ストリームを整数のフレームの間遅延させる。第１の符号化ストリームは、第１のコーデックを使用することにより入力信号が符号化された後に得られる入力ストリーム中の少なくとも１つの拡張レイヤのストリームを含む。
【００４５】
Ｓ３０２：第１の復号信号を得るために、第１のコーデックを使用して、入力ストリーム中の別の符号化ストリームを復号する。別の符号化ストリームは、入力信号が第１のコーデックを使用することにより符号化された後の入力ストリーム中の別のレイヤのストリームを含む。別のレイヤのストリームは、コアレイヤのストリームを含み、第１の符号化ストリームを除く。
【００４６】
Ｓ３０３：調節された信号を得るために、第１の復号信号に対して遅延整列および調節を行う。
【００４７】
Ｓ３０４：第２の符号化ストリームを得るために、第２のコーデックを使用して、調節された信号を符号化する。
【００４８】
Ｓ３０５：第２の符号化ストリーム、および整数のフレームの間遅延させられた第１の符号化ストリームを多重化し、出力する。
【００４９】
この実施形態でのトランスコーディング方法では、ストリームの一部だけが再び符号化され復号される。もはや復号されることも符号化されることもないストリームが遅延整列および調節を受け、再び復号され符号化されるストリームの一部が、整数のフレームの間遅延させられる。この方法では、組込コーデックのトランスコーディングの複雑さを大きく低減することができ、信号を符号化および復号する効果がさらに改善され、トランスコードされ、符号化される。ストリームの一部がもはや符号化されることも復号されることもないので、復号される信号の品質が効果的に高められる。大部分の組込コーデック間のトランスコーディングに対して、トランスコーディングにより発生される追加遅延を低減することができ、たとえばトランスコーディング時に追加遅延がまったく発生しない。
【００５０】
＜実施形態５＞
本発明の別の実施形態が、図６に示されるように、２つの組込コーデック間をトランスコードする方法を提供する。
【００５１】
方法が実施される前に、ステップＳ４０１が含まれる。すなわち、第１のコーデックが、符号化ストリームを得るために、入力信号を符号化する。
【００５２】
第１のコーデックは、トランスコーディングの前に第１の符号化のために使用される符号器である。第１のコーデックは、組込コーデックであり、符号化のための入力信号は、拡張レイヤ信号およびコアレイヤ信号を含む。第１の符号器は、入力信号を符号化して、符号化ストリームを生成する。少なくとも１つの拡張レイヤで符号化することにより生成されるストリームが第１の符号化ストリームと呼ばれる。トランスコーディング前に少なくとも１つの拡張レイヤで符号器が符号化するための方法および帯域幅は、少なくとも１つの拡張レイヤのトランスコーディング後のものと同一である。すなわち、少なくとも１つの拡張レイヤで第１のコーデックが符号化するための方法および帯域幅は、少なくとも１つの拡張レイヤで第２のコーデックが符号化する方法および帯域幅と同一である。少なくとも１つの拡張レイヤを除く別のレイヤで符号化することにより生成されるストリームは、別の符号化ストリームと呼ばれ、コアレイヤの符号化ストリームを含む。
【００５３】
Ｓ４０２：第１の符号化ストリームを整数のフレームの間遅延させる。
【００５４】
トランスコーディング前に少なくとも１つの拡張レイヤで符号器が符号化する方法は、少なくとも１つの拡張レイヤのトランスコーディング後のものと同一であるので、少なくとも１つの拡張レイヤを再び復号し符号化することにより、不要な操作を引き起こし、トランスコーディングの複雑さを大幅に増大させる。しかし、適切な操作がなければ、第１の符号化ストリームを多重化するときの遅延が、少なくとも１つの拡張レイヤで第２の符号器が符号化することにより生成されるストリームを多重化するときの遅延関係と一致しない。少なくとも１つの拡張レイヤに対して、本発明の実施形態では、第１のコーデックにより符号化された第１の符号化ストリームが、整数のフレームの遅延に関する予め設定された情報に従って、整数の予め設定されたフレームの間遅延させられる。この場合、ストリーム中のビット情報に対して処理が行われないが、全体としてのストリームは伝送フレームの長さの間遅延させられる。
【００５５】
整数のフレームの遅延に関する情報を予め設定することは、整数のフレームの遅延の数または整数のフレームの遅延の長さを予め設定することを含む。整数のフレームの遅延に関する情報は、モジュールをロードする方法、またはシステムを予め設定する方法で設定される。フレームの遅延の数または整数のフレームの遅延の長さは、第１のコーデックおよび第２のコーデックの符号化ストリームおよび復号ストリームの遅延を組み合わせて、信号フレームの長さに従って、決定され、信号フレームの長さに関する関数と、第１のコーデックおよび第２のコーデックの符号化ストリームおよび復号ストリームの遅延に関する関数とにより表され得る。
【００５６】
第１の符号化ストリームは、整数のフレームの遅延に関する情報に従って整数の予め設定されたフレームの間遅延させられる。第１の符号化ストリームは、少なくとも１つの拡張レイヤで第１のコーデックが符号化することにより得られる。少なくとも１つの拡張レイヤで符号化するために第１のコーデックを使用するための方法および帯域幅は、第２のコーデックを使用するための方法および帯域幅と一致する。このことは、トランスコーディングのために、少なくとも１つの拡張レイヤで符号化するために必要とされる。少なくとも１つの拡張レイヤのトランスコーディング前に少なくとも１つの拡張レイヤでコーデックが符号化する方法は、トランスコーディング後のものと同一であるので、少なくとも１つの拡張レイヤを再び復号および符号化することにより、不要な操作を引き起こし、トランスコーディングの複雑さを大幅に増大させる。この実施形態では、少なくとも１つの拡張レイヤに対して、第１のコーデックにより拡張レイヤに対して符号化された第１の符号化ストリームが、整数のフレームの遅延に関する予め設定された情報に従って整数の予め設定されたフレームの間遅延させられる。この場合、ストリーム中のビット情報に対して処理が行われないが、全体としてのストリームは伝送フレームの長さの間遅延させられる。
【００５７】
整数のフレームの遅延に関する情報を予め設定する方法は、ステップ４０１の後で必ずしも行われない。２つのステップは互いに相関させられるので、この方法は、第１の符号化ストリームが、整数のフレームの遅延に関する情報に従って整数の予め設定されたフレームの間遅延させられることを保証するように、別の時点に行われてもよい。
【００５８】
Ｓ４０３：第１の復号信号を得るために、第１のコーデックを使用して、別の符号化ストリームを復号する。別の符号化ストリームは、少なくとも１つの拡張レイヤを除く別のレイヤで第１のコーデックが符号化することにより得られる。
【００５９】
第１のコーデックは別の符号化ストリームを復号する。少なくとも１つの拡張レイヤを除く別のレイヤに対して、トランスコーディング前の符号化方法および符号化帯域幅は、トランスコーディング後のものと異なり、符号化および次いで復号が必要とされる。第１のコーデックは、第１の復号信号を得るために、別の符号化ストリームを復号する。第１の復号信号は、トランスコーディング方法での符号化操作を行うため第２のコーデックに提供されるために使用される。
【００６０】
Ｓ４０４：調節された信号を得るために、第１の復号信号に対して遅延整列および調節を行う。
【００６１】
第１の復号信号は、コアレイヤの符号化ストリームを含みかつ第１の符号化ストリームを除く別の符号化ストリームを第１のコーデックが復号することにより得られる。別の符号化ストリームは、少なくとも１つの拡張レイヤを除く別のレイヤで第１のコーデックが符号化することにより得られる。第２の符号化ストリームの遅延と、整数のフレームの間遅延させられた第１の符号化ストリームの遅延との間の関係は、少なくとも１つの拡張レイヤで第２のコーデックが符号化する符号化遅延と、別のレイヤで符号化する符号化遅延との間の関係に対応する。少なくとも１つの拡張レイヤはもはや符号化されることも復号されることもないが、第１のコーデックにより符号化された第１の符号化ストリームは直接多重化される。したがって、別の符号化ストリームの第１の時点は、少なくとも１つの拡張レイヤの第２の時点と整列させられる必要があり、または、前述の遅延関係のマッピングが生成される必要がある。Ｓ４０２とこのステップでの第１の時点および第２の時点の調節とにより、多重化ストリームと２度目の復号との間の遅延関係が、少なくとも１つの拡張レイヤだけで第２のコーデックが符号化することにより得られるストリームと、少なくとも１つの拡張レイヤを除く別のレイヤで第２のコーデックが符号化することにより得られるストリームとの間の遅延関係に対応することが保証される。
【００６２】
Ｓ４０５：第２の符号化ストリームを得るために、第２のコーデックを使用して、調節された信号を符号化する。
【００６３】
この方法では、第２のコーデックが入力信号を符号化するために使用された後、第１の遅延関係が、少なくとも１つの拡張レイヤの符号化ストリームと、別のレイヤの符号化ストリームとの間に存在する。本発明の実施形態に従って整数のフレームの遅延が使用された後、第１の符号化ストリームと第２の符号化ストリームとの間の遅延関係が、第１の遅延関係に対応する。したがって、整数のフレームの間遅延させられた第１のストリームおよび第２のストリームの多重化に対する符号化の複雑さが回避され、別の操作が必要とされず、一般的なストリーム多重化操作を適用可能である。
【００６４】
Ｓ４０６：第２の符号化ストリーム、および整数のフレームの間遅延させられた第１の符号化ストリームを多重化し、出力する。
【００６５】
多重化ストリームは、元の信号が回復させられるように、復号操作のために第２のコーデックに提供される。
【００６６】
本発明の別の実施形態では、別の方法が、整数のフレームの遅延に関する情報と、遅延整列および調節のために必要とされる調節遅延情報とを予め設定するステップで利用され得る。すべての前述の実施形態では、整数のフレームの遅延に関する情報と、遅延整列および調節のために必要とされる調節遅延情報とが、予め設定する方法で決定される。すなわち、このような情報は、システムをセットアップするまたはモジュール化する工程で、およびトランスコーディングの実現工程で予め設定されることができ、予め設定された情報は読み出され、第１の符号化ストリームは整数のフレームの間遅延させられ、第１の復号信号は、調節された信号を得るために、遅延整列および調節を受ける。この実施形態では、整数のフレームの遅延に関する情報と、遅延整列および調節のために必要とされる調節遅延情報とは、第１のコーデックおよび第２のコーデックの符号化ストリームおよび復号ストリームの遅延を組み合わせて、信号フレームの長さに従って、リアルタイムでまたは前もってトランスコーディング工程で決定されることができる。
【００６７】
本発明の別の実施形態では、整数のフレームの遅延に関する情報と、遅延整列および調節のために必要とされる調節遅延情報とを予め設定するステップはまた、２つの情報のうちの一方を予め設定すること、または信号フレームの長さと、第１のコーデックおよび第２のコーデックの符号化ストリームおよび復号ストリームの遅延とに従って、トランスコーディング工程で２つの情報のうちの一方を決定し、次に２つの情報のうちの決定された一方に従って他方の情報を構成することであってもよく、整数のフレームおよび調節遅延は以下の関係を満たす。すなわち調節遅延は、第１のコーデックおよび第２のコーデックの符号化ストリームおよび復号ストリームの遅延を組み合わせて、信号フレームの長さに従う整数のフレームと関係がある。
【００６８】
本発明の別の実施形態が、一般的な符号化方法を提供する。整数のフレームの遅延に関する情報と、遅延整列および調節のために必要とされる調節遅延情報とに従って、第１のコーデックおよび第２のコーデックが特定の場合に変更される必要があるとき、２つの情報が異なるコーデックパラメータにより決定され、整数のフレームの間遅延させる操作と遅延整列および調節とが行われる。
【００６９】
別の様態では、本発明はより多くのシナリオに広く適用可能であり、第１のコーデックおよび第２のコーデックは、簡単なスタンド・アロン・コーデックだけでなく、たとえばパーシャルミキシング（Ｐａｒｔｉａｌ  Ｍｉｘｉｎｇ）応用での高度な構造であってもよい。パーシャルミキシングは、会議システムでの効果的音声ミキシング方法である。パーシャルミキシングは、複数の符号化された信号中の従来の狭帯域および広帯域のストリームを復号し、混合するが、特定の符号化信号の拡張レイヤのストリームだけを、ミキシング後の拡張レイヤのストリームとして選択する。受信機が依然としてトランスコーディングを必要とし、従来のトランスコーディング方法が使用される場合、パーシャルミキシングの有利な点がそこなわれる。本発明の実施形態で提供されるトランスコーディング方法を使用することにより、（Ｎ−Ｍ）レイヤとしての混合された狭帯域および広帯域のストリームに対する遅延整列および調節を行い、Ｍｌａｙｅｒとしての拡張レイヤのストリームを整数のフレームの間遅延させることだけが必要である。このトランスコーディング方法は、依然として拡張レイヤのストリームの復号を必要とせず、トランスコーディング、符号化、および復号の効率を改善する。
【００７０】
本発明の実施形態でのトランスコーディング方法では、ストリームの一部だけが再び符号化され復号される。もはや復号されることも符号化されることもないストリームが遅延整列および調節を受け、再び復号され符号化されるストリームの一部は整数のフレームの間遅延させられる。この方法では、組込コーデックのトランスコーディングの複雑さを大きく低減することができ、ストリームの一部がもはや符号化されることも復号されることもないので、トランスコードされる信号の品質が効果的に高められる。一般的なトランスコーディング手段が、異なるコーデック間をトランスコードするために提供され、大部分の組込コーデック間のトランスコーディングに対して、トランスコーディングにより発生する追加遅延を低減することができ、たとえばトランスコーディング時に追加遅延がまったく発生しない。
【００７１】
＜実施形態６＞
本発明の一実施形態は、２つの組込コーデック間をトランスコードするためのトランスコーディング装置を提供する。図７に示されるように、トランスコーディング装置は、
入力ストリーム中の第１の符号化ストリームを整数のフレームの間遅延させるように構成される整数フレーム遅延モジュール５０１であって、第１の符号化ストリームは、第１のコーデックを使用することにより入力信号が符号化された後に得られる入力ストリーム中の少なくとも１つの拡張レイヤのストリームを含み、整数フレーム遅延モジュール５０１と、
調節された信号を得るために、第１の復号信号の遅延を整列させ調節するように構成される遅延整列モジュール５０２であって、第１の復号信号は、入力ストリーム中の別の符号化ストリームを第１のコーデックが復号することにより得られ、別の符号化ストリームは、入力信号が第１のコーデックを使用することにより符号化された後の入力ストリーム中の別のレイヤのストリームを含み、別のレイヤのストリームは、コアレイヤのストリームを含み且つ第１の符号化ストリームを除く、遅延整列モジュール５０２と、
を含む。
【００７２】
この実施形態ではトランスコーディング装置は、ストリームの一部だけに対して再び符号化および復号を行う。遅延整列モジュールは、もはや復号されることも符号化されることもないストリームに対して遅延整列および調節を行うために使用される。整数フレーム遅延モジュールは、再び復号され符号化されたストリームの一部を整数のフレームの間遅延させるために使用される。この方法では、組込コーデックのトランスコーディングの複雑さを大きく低減することができ、ストリームの一部がもはや符号化されることも復号されることもないので、トランスコードされる信号の品質が効果的に高められる。大部分の組込コーデック間のトランスコーディングに対して、トランスコーディングにより発生する追加遅延を低減することができ、たとえばトランスコーディング時に追加遅延がまったく発生しない。
【００７３】
＜実施形態７＞
本発明の別の実施形態が、図８に示されるように、以下を含む、２つの組込コーデック間をトランスコードするトランスコーディング装置を提供する。
【００７４】
整数フレーム遅延モジュール５０１が、第１の符号化ストリームを整数のフレームの間遅延させるように構成される。
【００７５】
第１の符号化ストリームは、少なくとも１つの拡張レイヤを第１のコーデックが符号化することにより得られる。整数フレーム遅延モジュール５０１は、整数のフレームの遅延に関する情報に従って、第１の符号化ストリームを予め設定された整数のフレームの間遅延させる。
【００７６】
遅延整列モジュール５０２は、調節された信号を得るために、第１の復号信号に対して遅延整列および調節を行うように構成される。
【００７７】
第１の復号信号は、コアレイヤの符号化ストリームを含み且つ第１の符号化ストリームを除く別の符号化ストリームを第１のコーデックが復号することにより得られる。別の符号化ストリームは、少なくとも１つの拡張レイヤを除く別のレイヤで第１のコーデックが符号化することにより得られる。遅延整列モジュール５０２は、遅延整列および調節のために必要とされる調節遅延情報に従って、第１の復号信号に対して遅延整列および調節を行う。
【００７８】
装置は、整数のフレームの遅延に関する情報を決定するように構成される第１の遅延モジュール５０３をさらに含む。
【００７９】
第１の遅延モジュール５０３は、第１のコーデックおよび第２のコーデックの符号化ストリームおよび復号ストリームの遅延を組み合わせて、信号フレームの長さに従って、第１の符号化ストリームを遅延させる整数のフレームを決定する。
【００８０】
第２の遅延モジュール５０４は、復号信号に対して遅延整列および調節を行う調節遅延を決定するように構成される。
【００８１】
復号信号に対して遅延整列および調節を行う調節遅延は、第１のコーデックおよび第２のコーデックの符号化ストリームおよび復号ストリームの遅延と、第１の符号化ストリームを遅延させる整数のフレームとを組み合わせて、信号フレームの長さに従って、決定される。
【００８２】
上記の第１の遅延モジュールおよび第２の遅延モジュールは、システムをセットアップするときにパラメータを予め設定するモジュールとしてシステムの中に組み入れられることができる。このようなモジュールにより決定されるデータは、第１の符号化ストリームが整数の予め設定されたフレームの間遅延させられ、第１の復号信号が調節された信号を得るために遅延整列および調節を受けるときに、直接呼び出される。
【００８３】
上記の第１の遅延モジュールおよび第２の遅延モジュールはまた、整数フレーム遅延モジュール５０１が第１の符号化ストリームを整数のフレームの間遅延させるとき、および遅延整列モジュール５０２がトランスコーディング装置の実行工程で第１の復号信号を整列させ調節するとき、呼び出されてもよい。
【００８４】
第１の遅延モジュールおよび第２の遅延モジュールは、物理的に分離された実体でも、互いに独立した実体でもよい。すなわち、第１の遅延モジュールおよび第２の遅延モジュールの物理的位置は、整数フレーム遅延モジュールおよび遅延整列モジュールから独立していてもよい。図８に示されるように、第１の遅延モジュールはまた、整数フレーム遅延モジュールで設定されてもよく、第２の遅延モジュールは、遅延整列モジュールで設定されてもよい。
【００８５】
少なくとも１つの拡張レイヤで第１のコーデックが符号化するための方法および帯域幅は、少なくとも１つの拡張レイヤで第２のコーデックが符号化するためのものと同一である。第２の符号化ストリームの遅延と、整数フレームの間遅延させられた第１の符号化ストリームの遅延との間の関係は、少なくとも１つの拡張レイヤで第２のコーデックが符号化する符号化遅延と、別のレイヤで符号化する符号化遅延との間の関係に対応する。
【００８６】
この実施形態ではトランスコーディング装置は、ストリームの一部だけに対して再び符号化および復号を行う。遅延整列モジュールは、もはや復号されることも符号化されることもないストリームに対して遅延整列および調節を行うために使用される。整数フレーム遅延モジュールは、再び復号され符号化されるストリームの一部を整数のフレームの間遅延させるために使用される。この方法では、組込コーデックのトランスコーディングの複雑さを大きく低減することができ、ストリームの一部がもはや符号化されることも復号されることもないので、トランスコードされる信号の品質が効果的に高められる。大部分の組込コーデック間のトランスコーディングに対して、トランスコーディングにより発生する追加遅延を低減することができ、たとえばトランスコーディング時に追加遅延がまったく発生しない。
【００８７】
＜実施形態８＞
本発明の別の実施形態が、図９に示されるように、
第１の符号化ストリームを整数のフレームの間遅延させるように構成される整数フレーム遅延モジュール５０１と、調節された信号を得るために、第１の復号信号に対して遅延整列および調節を行うように構成される遅延整列モジュール５０２と、
を含む、実施形態７と同様な、２つの組込コーデック間をトランスコードするためのトランスコーディング装置を提供する。
【００８８】
装置は、第１の符号化ストリームを遅延させるための整数のフレームを設定する、および／または、第１のコーデックおよび第２のコーデックに従って調節遅延を設定するように構成されるパラメータ構成モジュール５０５をさらに含み、整数のフレームおよび調節遅延は以下の関係を満たす。
【００８９】
調節遅延は、第１のコーデックおよび第２のコーデックの符号化ストリームおよび復号ストリームの遅延を組み合わせて、信号フレームの長さに従う整数のフレームと関係がある。すなわち、調節遅延（第１の符号化ストリームを遅延させる整数のフレーム）は、第１の符号化ストリームを遅延させる整数のフレーム（調節遅延）を構成することにより、前述の関係に従って得られる。
【００９０】
少なくとも１つの拡張レイヤで符号化するための方法および帯域幅は、少なくとも１つの拡張レイヤで第２のコーデックが符号化するためのものと一致する。第２の符号化ストリームの遅延と、整数のフレームの間遅延させられた第１の符号化ストリームの遅延との間の関係は、少なくとも１つの拡張レイヤで第２のコーデックが符号化する符号化遅延と、別のレイヤで符号化する符号化遅延との間の関係に対応する。
【００９１】
本発明の別の実施形態では、パラメータ構成モジュールは、トランスコーディング装置内の第１の遅延モジュールおよび第２の遅延モジュールと一緒に含まれてもよい。パラメータ構成モジュールは、第１の遅延モジュールおよび第２の遅延モジュールにより必要とされるパラメータ情報を提供するか、または、パラメータ構成モジュールは、第１の遅延モジュールの整数のフレームの遅延に関する情報を決定し、第２の遅延モジュールに対してその情報を提供し、逆も同様である。パラメータ構成モジュールと第１の遅延モジュールと第２の遅延モジュールとの間の相互運用は、実現環境に従って決定されてもよく、これに限定されない。
【００９２】
この実施形態では、トランスコーディング装置は、ストリームの一部だけに対して再び符号化および復号を行う。遅延整列モジュールが、もはや復号化されることも符号化されることもないストリームに対して遅延整列および調節を行うために使用される。整数フレーム遅延モジュールが、再び復号され符号化されるストリームの一部を整数のフレームの間遅延させるために使用される。この方法では、組込コーデックのトランスコーディングの複雑さを大きく低減することができ、ストリームの一部がもはや符号化されることも復号されることもないので、トランスコードされる信号の品質が効果的に高められる。一般的なトランスコーディング手段が、異なるコーデック間をトランスコードするために提供され、大部分の組込コーデック間のトランスコーディングに対して、トランスコーディングにより発生する追加遅延を低減することができ、たとえばトランスコーディング時に追加遅延がまったく発生しない。
【００９３】
＜実施形態９＞
本発明の一実施形態は、２つの組込コーデック間のトランスコーディングを実現する、図１０に示されるようなトランスコーディング機器を提供する。トランスコーディング機器のモジュールが、第１のコーデックにより出力され、処理されるべき符号化信号および復号信号を受信し、受信した信号に対してトランスコーディングを行い、処理された信号を復号のために第２のコーデックに提供するように構成される。トランスコーディング機器は、
入力ストリーム中の第１の符号化ストリームおよび第１の復号信号を受信するように構成される受信装置５０６であって、第１の符号化ストリームは、入力信号が第１のコーデックを使用することにより復号された後の入力ストリーム中の少なくとも１つの拡張レイヤのストリームを含む、第１の復号信号は、第１の符号化ストリームを除く入力ストリーム中の別の符号化ストリームを第１のコーデックが復号することにより得られる、受信装置５０６と、
第１の符号化ストリームを整数のフレームの間遅延させるように構成される整数フレーム遅延モジュール５０１と、
調節された信号を得るために、第１の復号信号に対して遅延整列および調節を行うように構成される遅延整列モジュール５０２であって、別の符号化ストリームは、入力信号が第１のコーデックを使用することにより符号化された後の入力ストリーム中の別のレイヤのストリームを含み、別のレイヤのストリームは、コアレイヤのストリームを含み且つ第１の符号化ストリームを除く、遅延整列モジュール５０２と、
調節された信号および整数のフレームの間遅延させられた第１の符号化ストリームを第２のコーデックに出力するように構成される出力装置５０７と、
を含む。
【００９４】
整数フレーム遅延モジュールおよび遅延整列モジュールは、トランスコーディング装置の前述の実施形態での整数フレーム遅延モジュールおよび遅延整列モジュールと同一である。
【００９５】
少なくとも１つの拡張レイヤで第１のコーデックが符号化するための方法および帯域幅は、少なくとも１つの拡張レイヤで第２のコーデックが符号化するためのものと同一である。調節された信号を第２のコーデックが符号化することにより得られる第２の符号化ストリームの遅延と、整数のフレームの間遅延させられた第１の符号化ストリームの遅延との間の関係は、少なくとも１つの拡張レイヤで第２のコーデックが符号化する符号化遅延と、別のレイヤで符号化する符号化遅延との間の関係に対応する。
【００９６】
本発明の別のトランスコーディング機器では、機器は、図１０に示されるように、前述のトランスコーディング装置の実施形態で説明される別のモジュールを含む。
【００９７】
この実施形態ではトランスコーディング機器は、ストリームの一部だけに対して再び符号化および復号を行う。遅延整列モジュールが、もはや復号されることも符号化されることもないストリームに対して遅延整列および調節を行うために使用される。整数フレーム遅延モジュールが、再び復号され符号化されたストリームの一部を整数のフレームの間遅延させるために使用される。この方法では、組込コーデックのトランスコーディングの複雑さを大きく低減することができ、ストリームの一部がもはや符号化されることも復号されることもないので、トランスコードされる信号の品質が効果的に高められる。一般的なトランスコーディング手段が、異なるコーデック間をトランスコードするために提供され、大部分の組込コーデック間のトランスコーディングに対して、トランスコーディングにより発生する追加遅延を低減することができ、たとえばトランスコーディング時に追加遅延がまったく発生しない。
【００９８】
＜実施形態１０＞
本発明の一実施形態は、トランスコーディングシステムを提供する。図１１に示されるように、トランスコーディングシステムは、第１のコーデック５０８、トランスコーディング装置５０、および第２のコーデック５０９を含む。
【００９９】
第１のコーデックは、復号機能を実現し、第１の復号信号を得るために、別の符号化ストリームを復号するように構成される。別の符号化ストリームは、入力信号が第１のコーデックを使用することにより符号化された後に得られる入力ストリーム中の別のレイヤのストリームを含む。別のレイヤのストリームは、コアレイヤのストリームを含み、第１の符号化ストリームを除く。トランスコーディング装置は、第１の符号化ストリームを整数のフレームの間遅延させ、調節された信号を得るために第１の復号信号に対して遅延整列および調節を行うように構成される。第２のコーデックは符号化機能を実現し、第２の符号化ストリームを得るために、調節された信号を符号化し、第２の符号化ストリーム、および整数のフレームの間遅延させられた第１の符号化ストリームを多重化するように構成される。
【０１００】
第１のコーデックはまた、少なくとも１つの拡張レイヤに対応する第１の符号化ストリーム、およびコアレイヤの符号化ストリームを含む別の符号化ストリームを得るために、入力信号を符号化することができる。少なくとも１つの拡張レイヤで第１のコーデックが符号化するための方法および帯域幅は、少なくとも１つの拡張レイヤで第２のコーデックが符号化するためのものと一致する。第２のコーデックはまた、第２の符号化ストリーム、および整数のフレームの間遅延させられた第１の符号化ストリームが多重化された後のストリームを復号し得る。
【０１０１】
第１のコーデックは、少なくとも１つの拡張レイヤに対応する第１の符号化ストリーム、およびコアレイヤの符号化ストリームを含む別の符号化ストリームを得るために、入力信号を符号化する。第１のコーデックは、第１の復号信号を得るために、少なくとも１つの拡張レイヤを除く別のレイヤで第１のコーデックが符号化することにより得られる別の符号化ストリームを復号する。トランスコーディング装置は、第１の符号化ストリームを受信し、整数のフレームの遅延に関する情報を得て、整数のフレームの遅延に関する情報に従って、第１の符号化ストリームを整数のフレームの間遅延させる。トランスコーディング装置は第１の復号ストリームを受信し、遅延整列および調節のために必要とされる調節遅延情報を得て、調節された信号を得るために、調節遅延情報に従って第１の復号信号に対して遅延整列および調節を行う。トランスコーディング装置は、整数のフレームの間遅延させられた第１の符号化ストリーム、および調節された信号を出力する。トランスコーディング装置またはトランスコーディング機器の前述の実施形態で説明されるように、第２の符号化ストリームの遅延と、整数のフレームの間遅延させられた第１の復号ストリームの遅延との間の関係は、少なくとも１つの拡張レイヤで第２のコーデックが符号化する符号化遅延と、別のレイヤで符号化する符号化遅延との間の関係に対応する。第２のコーデックは、第２の符号化ストリームを得るために、調節された信号を符号化し、第２の符号化ストリーム、および整数のフレームの間遅延させられた第１の符号化ストリームが多重化された後のストリームを復号する。
【０１０２】
この実施形態でのトランスコーディングシステムでは、ストリームの一部だけが再び符号化され復号される。トランスコーディング装置は、もはや復号されることも符号化されることもないストリームに対して遅延整列および調節を行うために使用され、再び復号され符号化されるストリームの一部は、整数のフレームの間遅延させられる。この方法では、組込コーデックのトランスコーディングの複雑さを大きく低減することができ、ストリームの一部がもはや符号化されることも復号されることもないので、トランスコードされる信号の品質が効果的に高められる。一般的なトランスコーディング手段が、異なるコーデック間をトランスコーディングするために提供され、大部分の組込コーデック間のトランスコーディングに対して、トランスコーディングにより発生する追加遅延を低減することができ、たとえばトランスコーディング時に追加遅延が発生しない。
【０１０３】
本発明の別の実施形態が、前述の実施形態でのトランスコーディング装置を含む移動局を提供し、同様に、前述の実施形態でのトランスコーディング装置を含むネットワーク要素を提供する。トランスコーディング装置は、移動局およびネットワーク要素の中のトランスコーディング操作を提供する。トランスコーディング装置は、移動局またはネットワーク要素内にあると限定されず、トランスコーディング操作を必要とする任意の通信機器またはシステムが、前述のトランスコーディング装置およびトランスコーディング方法を利用してもよく、これに限定されない。
【０１０４】
本発明の前述の実施形態は、音声信号、または組込コーデックにより処理される信号の特性を有する別のデータ信号に対しても適用可能である。上記の実施形態で提供される方法のステップのすべてまたは一部が、プログラムが適切なハードウェアに命令することにより実現されてもよいことを当業者は理解すべきである。プログラムはコンピュータ読出可能媒体中に記憶されてもよい。プログラムが実行されるとき、前述の実施形態での方法の手順が含まれてもよい。記憶媒体は、磁気ディスク、コンパクトディスク、読出専用メモリ（Ｒｅａｄ−Ｏｎｌｙ  Ｍｅｍｏｒｙ、ＲＯＭ）、またはランダム・アクセス・メモリ（Ｒａｎｄｏｍ  Ａｃｃｅｓｓ  Ｍｅｍｏｒｙ、ＲＡＭ）でもよい。
【０１０５】
最後に、上記の実施形態は、単に本発明の技術的解決策を例示するために使用されるが、本発明を限定することを意図されないことに留意されたい。本発明の実施形態が例示的実施形態を参照して詳細に例示されたが、当業者は本発明の技術的解決策に対して修正および均等な置換を依然として行うことができるが、これらの修正および均等な置換は本発明の精神および範囲を逸脱する修正された解決策を作らないことを当業者は理解されたい。
【０１０６】
本出願は、全体が参照により本明細書に組み込まれる、「ＴＲＡＮＳＣＯＤＩＮＧ  ＭＥＴＨＯＤ，ＡＰＰＡＲＡＴＵＳ，ＤＥＶＩＣＥ  ＡＮＤ  ＳＹＳＴＥＭ」と題する、２００９年７月３１日に中国特許庁に提出された中国特許出願第２００９１０１０９５１０．１号明細書の優先権を主張する。
【図１】
2013501246.tif 000003
【図２】
2013501246.tif 000004
【図３】
2013501246.tif 000005
【図４】
2013501246.tif 000006
【図５】
2013501246.tif 000007
【図６】
2013501246.tif 000008
【図７】
2013501246.tif 000009
【図８】
2013501246.tif 000010
【図９】
2013501246.tif 000011
【図１０】
2013501246.tif 000012
【図１１】
2013501246.tif 000013
【手続補正書】
【提出日】平成24年3月6日(2012.3.6)
【手続補正１】
【補正対象書類名】特許請求の範囲
【補正対象項目名】全文
【補正方法】変更
【補正の内容】
【特許請求の範囲】
【請求項１】
２つの組込コーデック間をトランスコードするためのトランスコーディング方法であって、
入力ストリーム中の第１の符号化ストリームを整数のフレームの間遅延させ、該第１の符号化ストリームは、入力音声信号が第１のコーデックを使用することにより符号化された後に得られる前記入力ストリーム中の少なくとも１つの拡張レイヤのストリームを含み、
調節された信号を得るために、第１の復号信号に対して遅延整列および調節を行い、該第１の復号信号は、前記入力ストリーム中の別の符号化ストリームを前記第１のコーデックが復号することにより得られ、該別の符号化ストリームは、前記入力音声信号が前記第１のコーデックを使用することにより符号化された後に得られる前記入力ストリーム中の別のレイヤのストリームを含み、該別のレイヤのストリームは、コアレイヤのストリームを含み且つ前記第１の符号化ストリームを除き、
前記少なくとも１つの拡張レイヤで符号化するために前記第１のコーデックにより使用される方法および帯域幅が、前記少なくとも１つの拡張レイヤで符号化するために第２のコーデックにより使用されるものと同一であり、
前記調節された信号を第２のコーデックが符号化することにより得られる第２の符号化ストリームの遅延と前記整数のフレームの間遅延させられた前記第１の符号化ストリームの遅延との間の関係が、前記少なくとも１つの拡張レイヤを前記第２のコーデックが符号化する符号化遅延と別のレイヤで符号化する符号化遅延との間の関係に対応する、
トランスコーディング方法。
【請求項２】
前記第１の符号化ストリームを遅延させる前記整数のフレームが、前記第１のコーデックおよび前記第２のコーデックの符号化ストリームおよび復号ストリームの遅延を組み合わせて、信号フレームの長さに従って、決定される、
請求項１に記載の方法。
【請求項３】
前記第１の復号信号に対して遅延整列および調節を行うための調節遅延が、前記第１のコーデックおよび前記第２のコーデックの符号化ストリームおよび復号ストリームの前記遅延と、前記第１の符号化ストリームを遅延させるための前記整数のフレームとを組み合わせて、前記信号フレームの長さに従って、決定される、
請求項２に記載の方法。
【請求項４】
前記第１の符号化ストリームを遅延させるための前記整数のフレームの値が、前記第１のコーデックおよび前記第２のコーデックの符号化ストリームおよび復号ストリームの遅延の間の差の総和に対する前記フレームの長さの比関数により決定される値を含む、
請求項２に記載の方法。
【請求項５】
前記第１の復号信号に対して遅延整列および調節を行う調節遅延が、前記フレームの長さに関連する前記整数のフレームと、前記第１のコーデックおよび前記第２のコーデックの符号化ストリームおよび復号ストリームの遅延間の差の総和との間の計算関係を含む、
請求項４に記載の方法。
【請求項６】
トランスコーディング方法であって、
入力ストリーム中の第１の符号化ストリームを整数のフレームの間遅延させ、該第１の符号化ストリームは、入力音声信号が第１のコーデックを使用することにより符号化された後に得られる前記入力ストリーム中の少なくとも１つの拡張レイヤのストリームを含み、
第１の復号信号を得るために、前記第１のコーデックを使用して、前記入力ストリーム中の別の符号化ストリームを復号し、該別の符号化ストリームは、前記入力音声信号が前記第１のコーデックを使用することにより符号化された後の前記入力ストリーム中の別のレイヤのストリームを含み、該別のレイヤのストリームは、コアレイヤのストリームを含み且つ前記第１の符号化ストリームを除き、
調節された信号を得るために、前記第１の復号信号に対して遅延整列および調節を行い、
第２の符号化ストリームを得るために、第２のコーデックを使用して、前記調節された信号を符号化し、
前記第２の符号化ストリーム、および前記整数のフレームの間遅延させられた前記第１の符号化ストリームを多重化し、出力する、
ことを含み、
前記少なくとも１つの拡張レイヤで符号化するために前記第１のコーデックを使用するための方法および帯域幅が、前記少なくとも１つの拡張レイヤで符号化するために前記第２のコーデックを使用するためのものと一致し、
前記第２の符号化ストリームの遅延と前記整数のフレームの間遅延させられた前記第１の符号化ストリームの遅延との間の関係が、前記第２のコーデックにより前記少なくとも１つの拡張レイヤを符号化する符号化遅延と別のレイヤで符号化する符号化遅延との間の関係に対応する、
トランスコーディング方法。
【請求項７】
前記第１の符号化ストリームを遅延させる前記整数のフレームが、信号フレームの長さと、前記第１のコーデックおよび前記第２のコーデックの符号化ストリームおよび復号ストリームの遅延とに従って決定され、
前記第１の復号信号に対する遅延整列および調節のための調節遅延が、前記第１のコーデックおよび前記第２のコーデックの符号化ストリームおよび復号ストリームの遅延と、前記第１の符号化ストリームを遅延させる前記整数のフレームとを組み合わせて、前記信号フレームの長さに従って、決定される、
請求項６に記載の方法。
【請求項８】
２つの組込コーデック間をトランスコードするためのトランスコーディング装置であって、
入力ストリーム中の第１の符号化ストリームを整数のフレームの間遅延させるように構成される整数フレーム遅延モジュールであって、該第１の符号化ストリームは、入力音声信号が第１のコーデックを使用することにより符号化された後に得られる前記入力ストリーム中の少なくとも１つの拡張レイヤのストリームを含む、整数フレーム遅延モジュールと、
調節された信号を得るために第１の復号信号に対して遅延整列および調節を行うように構成される遅延整列モジュールであって、該第１の復号信号は、前記入力ストリーム中の別の符号化ストリームを前記第１のコーデックが復号することにより得られ、該別の符号化ストリームは、前記入力音声信号が前記第１のコーデックを使用することにより符号化された後の入力ストリーム中の別のレイヤのストリームを含み、該別のレイヤのストリームが、コアレイヤのストリームを含み且つ前記第１の符号化ストリームを除く、遅延整列モジュールと、
を含み、
前記少なくとも１つの拡張レイヤで符号化するために前記第１のコーデックにより使用される方法および帯域幅が、前記少なくとも１つの拡張レイヤで符号化するために前記第２のコーデックにより使用されるものと一致し、
前記第２のコーデックにより前記調節された信号を符号化することにより得られる前記第２の符号化ストリームの遅延と前記整数のフレームの間遅延させられた前記第１の符号化ストリームの遅延との間の関係が、前記少なくとも１つの拡張レイヤで前記第２のコーデックが符号化する符号化遅延と別のレイヤで符号化する符号化遅延との間の関係に対応する、
トランスコーディング装置。
【請求項９】
前記第１のコーデックおよび第２のコーデックの符号化ストリームおよび復号ストリームの遅延を組み合わせて、信号フレームの長さに従って、前記第１の符号化ストリームを遅延させる前記整数のフレームを決定するように構成される第１の遅延モジュールと、
前記第１のコーデックおよび前記第２のコーデックの符号化ストリームおよび復号ストリームの遅延と、前記第１の符号化ストリームを遅延させるための前記整数のフレームとを組み合わせて、前記信号フレームの前記長さに従って、前記第１の復号信号に対して遅延整列および調節を行うための調節遅延を決定するように構成される第２の遅延モジュールと、
をさらに含む請求項８に記載の装置。
【請求項１０】
トランスコーディング機器であって、
入力ストリーム中の第１の符号化ストリームおよび第１の復号信号を受信するように構成される受信モジュールであって、該第１の符号化ストリームは、入力音声信号が前記第１のコーデックを使用することにより符号化された後に得られる前記入力ストリーム中の少なくとも１つの拡張レイヤのストリームを含み、該第１の復号信号は、前記第１の符号化ストリームを除く前記入力ストリーム中の別の符号化ストリームを前記第１のコーデックが復号することにより得られる、受信モジュールと、
前記第１の符号化ストリームを整数のフレームの間遅延させるように構成される整数フレーム遅延モジュールと、
調節された信号を得るために前記第１の復号信号に対して遅延整列および調節を行うように構成される遅延整列モジュールであって、該別の符号化ストリームは、前記入力音声信号が前記第１のコーデックを使用することにより符号化された後の前記入力ストリーム中の別のレイヤのストリームを含み、該別のレイヤのストリームは、コアレイヤのストリームを含み且つ前記第１の符号化ストリームを除く、遅延整列モジュールと、
前記調節された信号、および前記整数のフレームの間遅延させられた前記第１の符号化ストリームを第２のコーデックに出力するように構成される出力装置と、
を含み、
前記少なくとも１つの拡張レイヤで前記第１のコーデックが符号化するための方法および帯域幅が、前記少なくとも１つの拡張レイヤで前記第２のコーデックが符号化するためのものと一致し、
前記調節された信号を前記第２のコーデックが符号化することにより得られる前記第２の符号化ストリームの遅延と前記整数のフレームの間遅延させられた前記第１の符号化ストリームの遅延との間の関係が、前記少なくとも１つの拡張レイヤを前記第２のコーデックが符号化する符号化遅延と別のレイヤで符号化する符号化遅延との間の関係に対応する、
トランスコーディング機器。
【請求項１１】
トランスコーディングシステムであって、
第１の復号信号を得るために別の符号化ストリームを復号するように構成される第１のコーデックであって、該別の符号化ストリームは、入力音声信号が前記第１のコーデックを使用することにより符号化された後に得られる入力ストリーム中の別のレイヤのストリームを含み、該別のレイヤのストリームは、コアレイヤのストリームを含み且つ第１の符号化ストリームを除き、該第１の符号化ストリームは、入力信号が前記第１のコーデックを使用することにより符号化された後に得られる入力ストリーム中の少なくとも１つの拡張レイヤの音声ストリームを含む、第１のコーデックと、
前記第１の符号化ストリームを整数のフレームの間遅延させ、調節された信号を得るために前記第１の復号信号の遅延整列および調節を行うように構成されるトランスコーディング装置と、
第２の符号化ストリームを得るために前記調節された信号を符号化し、前記第２の符号化ストリーム、および前記整数のフレームの間遅延させられた前記第１の符号化ストリームを多重化するように構成される第２のコーデックと、
を含み、
前記少なくとも１つの拡張レイヤで符号化するために前記第１のコーデックにより使用される方法および帯域幅が、前記少なくとも１つの拡張レイヤで符号化するために前記第２のコーデックにより使用されるものと同一であり、
前記第２の符号化ストリームの遅延と前記整数のフレームの間遅延させられた前記第１の符号化ストリームとの間の関係が、前記少なくとも１つの拡張レイヤで前記第２のコーデックが符号化する符号化遅延と別のレイヤで符号化する符号化遅延との間の関係に対応する、
トランスコーディングシステム。
【国際調査報告】
2013501246.tif 000014
2013501246.tif 000015
2013501246.tif 000016
2013501246.tif 000017
2013501246.tif 000018
2013501246.tif 000019
2013501246.tif 000020
2013501246.tif 000021
2013501246.tif 000022